(57)【要約】【課題】雨水による錆や腐食をより確実に抑制する。【解決手段】水切りカバー１は、複数の太陽電池パネルモジュール３を支持する長尺の主材２であって、太陽電池パネルモジュール３間の隙間３ａ下の領域を含む主材２と、これに対向する両太陽電池パネルモジュール３との間に介装され、少なくとも太陽電池パネルモジュール３間の露出する主材２の表面上を覆う平面部１ａと、この平面部１ａの長手方向両側に連設されて太陽電池パネルモジュール３間の隙間３ａから平面部１ａに進入した雨水を主材２から離れた下方位置に導く傾斜部（平面視三角形状の平坦部１ｂを含む）と、この傾斜部の平面視三角形状の平坦部１ｂの周囲を高くして案内幅を徐々にノズル状に狭くして雨水を吐出または噴出させる先端開口部で構成された水切り部１ｄとを有し、先端開口部に至るまでの水の流れの断面積が徐々に小さく絞られている。【選択図】図１
2014214554.tif 000002
【特許請求の範囲】
【請求項１】
長尺の主材上に搭載された太陽電池パネルモジュール間の隙間内に用いられて少なくとも該隙間内の該主材上を覆う水切りカバーであって、
該隙間から進入する水を該主材から離れた位置に案内する案内部と、該案内部で案内された水を流出させる流出部で構成された水切り部とを有する水切りカバー。
【請求項２】
前記流出部は、平面部の水案内方向両側のうちの少なくとも一方側に下方に傾斜した平坦部および凹部のうちのいずれかが連設されて構成されている請求項１に記載の水切りカバー。
【請求項３】
前記流出部の前記凹部は、前記流出部の方向に沿って同一幅もしくは徐々に幅が狭まった構成の請求項２に記載の水切りカバー。
【請求項４】
前記流出部は、板体がその長手方向に沿って２つ折りに折り曲げられた折り曲げ形状のの長手方向両端開口部である請求項１に記載の水切りカバー。
【請求項５】
前記隙間を構成する端面の段差部に係合可能とする抜け止め片が設けられている請求項４に記載の水切りカバー。
【請求項６】
前記主材に嵌合可能とする主材嵌合凹部を有している請求項１〜３のいずれかに記載の水切りカバー。
【請求項７】
太陽電池パネルモジュールと、これを搭載する長尺の主材を含む太陽電池パネル設置架台と、少なくとも該太陽電池パネルモジュール間の隙間内の該主材上を覆う請求項１〜７のいずれかに記載の水切りカバーとを有する太陽電池装置。
【請求項８】
太陽電池パネルモジュールと、これを搭載する長尺の主材を含む太陽電池パネル設置架台と、該長尺の主材上に搭載された該太陽電池パネルモジュール間の隙間内に用いられて該隙間内の該主材上を覆う水切りカバーとを有し、
該水切りカバーは、ばね性が効いた状態で該隙間内に折り曲げ側とは反対側の開放側から挿入可能に板体がその長手方向に沿って２つ折りに折り曲げられた折り曲げ形状を有し、
該水切りカバーは、該折り曲げ形状の外面と該隙間を構成する端面とで構成されて、該隙間から進入する水を該主材から離れた位置に案内する案内部と、該隙間を構成する端面の下端側を押圧する該板体の長手方向両端部に両開口部が設けられて、該両開口部から水を流出させる水切り部とを有し、該両開口部の開口面積は該隙間の幅方向断面積に比べて小さいかまたは半分に設定されている太陽電池装置。
【請求項９】
前記水切りカバーは、前記主材に嵌合可能とする主材嵌合凹部を有している請求項８に記載の太陽電池装置。
【発明の詳細な説明】
【技術分野】
【０００１】
本発明は、太陽電池パネルモジュール間の隙間から進入する雪解け水や雨水による架台の錆や腐食を抑制する水切りカバーおよび、この水切りカバーが複数の太陽電池パネルモジュール間の隙間に用いられる太陽電池装置に関する。
【背景技術】
【０００２】
従来の太陽電池パネルモジュールを設置する太陽電池パネル設置架台は、太陽電池パネルモジュールに太陽光が効率よく当たるようにするために傾斜を設けた架台上に複数の太陽電池パネルモジュールを配列している。この架台には、断面Ｌ字形、断面コ字形、断面Ｈ字形、断面Ｃ字形などの各種断面形状の鋼材が用いられている。架台は、ベース、柱、載置台、補強材などの各部材がボルトやナットで固定されて構成されている。架台部材の組み立てばらつきを吸収すると共に熱による伸縮を考慮して、設置される各太陽電池パネルモジュール間には所定の隙間が設けられている。架台の各鋼材には、耐食性のある塗装や溶融亜鉛メッキなどの表面処理が多く使用されている。
【０００３】
架台の鋼材に生じる錆や腐食を抑制することを目的として次の特許文献１が提案されている。
【０００４】
図１４は、特許文献１に開示されている従来の太陽電池パネル設置架台上に複数の太陽電池パネルが設置された太陽電池装置の側面図である。
【０００５】
図１４において、太陽電池装置１００は、太陽電池パネル１０１と、これを搭載する太陽電池パネル設置架台１０２とを有している。
【０００６】
太陽電池パネル設置架台１０２は、傾斜して配置された主材１０３と、主材１０３を傾斜下側で支持する垂直方向の短い前柱材１０４と、主材１０３を傾斜上側で支持する垂直方向の長い後柱材１０５と、前柱材１０４および後柱材１０５の各裾部分を固定するベース材１０６と、後述の斜め材１０８と後柱材１０５を連結する連結板１０７と、主材１０３と連結板１０７間に掛け渡された斜め材１０８と、ベース材１０６を固定して前柱材１０４や後柱材１０５を立設するための基礎１０９とを備えている。
【０００７】
主材１０３は、太陽電池パネル設置架台１０２のうち太陽光が入射する側に位置し、複数の太陽電池パネル１０１を載置して固定している。主材１０３は、屋根の平面部ＧＬに対して傾けられて配置されている。
【０００８】
前柱材１０４は、その上端部が主材１０３の側面に固定されている。前柱材１０４の下端側はベース材１０６に固定されている。
【０００９】
後柱材１０５は、その上端部が主材１０３の側面に固定されている。後柱材１０５の下側はベース材１０６に固定されている。主材１０３を傾斜させるために、後柱材１０５は前柱材１０４より長く構成されている。
【００１０】
ベース材１０６の底部は、アンカーボルトによって基礎１０９に固定されている。
【００１１】
連結板１０７は、後柱材１０５と斜め材１０８とを連結して主材１０３との間で三角形状部を構成して、太陽電池パネル設置架台１０２の前後方向（図１２では左右方向）における強度を補強している。
【００１２】
斜め材１０８は、後柱材１０５に対して斜めに設けられている。斜め材１０８は、その上端部が主材１０３の側面に固定されている。また、斜め材１０８の下端部は、連結板１０７に固定されている。
【００１３】
基礎１０９は屋根の平面部ＧＬに固定されている。屋根の平面部ＧＬは太陽電池パネル設置架台１０２が設置される設置面となっている。
【００１４】
図１５は、図１４の太陽電池パネル１０１の上面に落下した雪解け水や雨水が案内部に導かれて落下するまでの様子を説明するための要部拡大断面図である。図１６は、図１５のＣＣ線における側面断面図である。
【００１５】
図１５および図１６に示すように、まず、太陽電池パネル１０１の上面に落下した雪解け水や雨水は、太陽電池パネル１０１上の傾斜面に沿って斜め下方へ流れる。
【００１６】
次に、太陽電池パネル１０１の上面を斜め下方に流れた雪解け水や雨水は、枠１１０の上面を乗り越えて、太陽電池パネル１０１間の枠１１０の外側に形成されたフランジ１１０ａに流入する。フランジ１１０ａから溢れた雪解け水や雨水は、フランジ１１０ａ間の隙間内部に落下する。
【００１７】
その後、フランジ１１０ａ間の隙間内部に落下した雪解け水や雨水Ｒは、案内部１１１の平坦部１１１ａおよび延出部１１１ｃで構成されるＬ字部に溜まりながら、断面逆Ｌ字状の主材１０３の幅方向に対して左右に流れる。雪解け水や雨水Ｒが流れる方向は図１３の前後方向（紙面に垂直な方向）である。案内部１１１を流れた雪解け水や雨水Ｒは、表面張力によって突起部１１１ｂへ導かれて突起部１１１ｂから落下する。
【００１８】
突起部１１１ｂは、主材１０３の幅方向について、主材１０３から離されて形成されている。このため、雪解け水や雨水Ｒを主材１０３から離れた箇所に導くことができる。突起部１１１ｂに到達した雪解け水や雨水Ｒは屋根の平面部ＧＬ側に落下する。
【００１９】
このようにして、案内部１１１は、太陽電池パネル１０１間の隙間（フランジ１１０ａ間の隙間）内に進入した雪解け水や雨水Ｒを、主材１０３から離れた箇所へ導いて落下させることができる。
【００２０】
なお、傾斜上側および傾斜下側のボルト１１２とナット１１３により、太陽電池パネル１０１が取り付けられた枠１１０、雪解け水や雨水用の案内部１１１および逆Ｌ字状の主材１０３が固定されている。これらの太陽電池パネル１０１およびその端面の枠１１０を含めて太陽電池パネルモジュールが構成されている。
【先行技術文献】
【特許文献】
【００２１】
【特許文献１】特開２０１１−２３６６７４号公報
【発明の概要】
【発明が解決しようとする課題】
【００２２】
上記従来の太陽電池装置１００では、太陽電池パネル設置架台１０２上の複数の太陽電池パネル１０１の上面が傾斜している。このため、雪解け水や雨水Ｒは、太陽電池パネル１０１の上面に沿って傾斜の低い側に流れて、太陽電池パネル１０１間の隙間（フランジ１１０ａ間の隙間）から落下する。フランジ１１０ａ間の隙間内部には案内部１１１が主材１０３上に配置されている。このため、案内部１１１を流れた雪解け水や雨水Ｒは、主材１０３を濡らすことなく案内部１１１の下方の突起部１１１ｂ側に導かれて突起部１１１ｂから屋根上に落下する。
【００２３】
ところが、上記従来の案内部１１１では、広い面積の太陽電池パネル１０１の上面で雪解け水や雨水Ｒを受けているため、かなりの量の雪解け水や雨水Ｒがフランジ１１０ａ間の隙間から案内部１１１に流れ込む。これによって、平坦部１１１ａおよび延出部１１１ｃに溜まった雪解け水や雨水Ｒは下端の突起部１１１ｂ側に伝って落下するが、溜まった雪解け水や雨水Ｒが案内部１１１の開口部から落下する幅は、図１３のように傾いているため太陽電池パネル１０１間の隙間の幅よりも広くなり得るし、案内部１１１の下面の突起部１１１ｂの幅に比べてかなり広い。このため、案内部１１１を溢れた雪解け水や雨水Ｒは案内部１１１の両開口部から両端面を伝って突起部１１１ｂのない下面側にも伝った後に下端の突起部１１１ｂに導かれて突起部１１１ｂから落ちる。このため、溢れた雪解け水や雨水Ｒは、案内部１１１の下面を伝って逆Ｌ字状の主材１０３に至る虞が大いにある。
【００２４】
主材１０３は、耐候性および耐食性を確保するための表面処理が為されている一方、雪解け水や雨水Ｒに曝されるうちに表面がゆっくりと侵食される。この侵食が鋼材の地肌にまで達すると錆の発生により侵食が早められる。侵食の進行によって鋼材の厚みが薄くなることで、太陽電池パネル１０１を支える機械強度が減少してしまう。
【００２５】
しかも、雪解け水や雨水Ｒが、案内部１１１の下面と逆Ｌ字状の主材１０３の上面との間に浸入すると、主材１０３は長時間乾くことなく雪解け水や雨水に曝されることになる。しかも、主材１０３と案内部１１１には固定用のボルト用穴が形成されている。このため、仮に案内部１１１の下面と逆Ｌ字状の主材１０３の上面との間から雪解け水や雨水Ｒが染込んでボルト用穴にまで至ればボルト用穴内部を腐食させてしまう。
【００２６】
さらに、案内部１１１の取り付けに関して、ボルト１１２とナット１１３により、太陽電池パネル１０１が取り付けられた枠１１０、雪解け水や雨水用の案内部１１１および逆Ｌ字状の主材１０３を一括して固定している。このため、ボルト１１２とナット１１３による締結は共回りして案内部１１１の取り付けに手間がかかる。
【００２７】
本発明は、上記従来の問題を解決するもので、雪解け水や雨水による主材の錆や腐食をより確実に抑制することができる水切りカバーおよびこれを用いた太陽電池装置を提供することを目的とする。
【課題を解決するための手段】
【００２８】
本発明の水切りカバーは、長尺の主材上に搭載された太陽電池パネルモジュール間の隙間内に用いられて少なくとも該隙間内の該主材上を覆う水切りカバーであって、該隙間から進入する水を該主材から離れた位置に案内する案内部と、該案内部で案内された水を流出させる流出部で構成された水切り部とを有するものであり、そのことにより上記目的が達成される。
【００２９】
また、好ましくは、本発明の水切りカバーにおける流出部は、平面部の水案内方向両側のうちの少なくとも一方側に下方に傾斜した平坦部および凹部のうちのいずれかが連設されて構成されていいる。
【００３０】
さらに、好ましくは、本発明の水切りカバーにおける流出部は、前記平坦部の水案内方向に直角に交わる方向の両側が該平坦部よりも高く構成されて水の流れの断面積が徐々に小さく絞られた開口部である。この流出部の凹部は、前記流出部の方向に沿って同一幅もしくは徐々に幅が狭まった構成である。
【００３１】
さらに、好ましくは、本発明の水切りカバーにおける流出部は、板体がその長手方向に沿って２つ折りに折り曲げられた折り曲げ形状のの長手方向両端開口部である。
【００３２】
さらに、好ましくは、本発明の水切りカバーにおける隙間を構成する端面の段差部に係合可能とする抜け止め片が設けられている。
【００３３】
さらに、好ましくは、本発明の水切りカバーにおける主材に嵌合可能とする主材嵌合凹部を有している。
【００３４】
さらに、好ましくは、本発明の水切りカバーにおける流出部を構成する開口部の開口面積は前記隙間の幅方向断面積に比べて小さいかまたは半分に設定されている。
【００３５】
本発明の水切りカバーは、長尺の主材上に搭載された太陽電池パネルモジュール間の隙間内に用いられて少なくとも該隙間内の該主材上を覆う水切りカバーであって、該隙間から進入する水を該主材から離れた位置に案内する案内部と、該案内部で案内された水を流出または吐出または噴出させる流出部または開口部で構成された水切り部とを有するものであり、そのことにより上記目的が達成される。
【００３６】
また、好ましくは、本発明の水切りカバーにおける案内部は、前記隙間内の主材領域を少なくとも含む主材位置と、該主材位置に対向した両太陽電池パネルモジュールとの間に挟み込まれて、該隙間内の主材領域を含む主材表面領域を覆う平面部を有し、該平面部の水案内方向両側のうちの少なくとも一方（両側または片側に下方に傾斜した平坦部が連設され、該平坦部の水案内方向に直角に交わる方向の両側が該平坦部よりも高く構成されて前記開口部に至るまでの水の流れの断面積が徐々に小さく絞られている。
【００３７】
また、好ましくは、本発明の水切りカバーにおける案内部は、前記隙間内の主材領域を少なくとも含む主材位置と、該主材位置に対向した両太陽電池パネルモジュールとの間に挟み込まれて、該隙間内の主材領域を含む主材表面領域を覆う平面部を有し、該平面部の水案内方向両側のうちの少なくとも一方に下方に傾斜した平坦部および凹部のうちのいずれかが連設されている。この平坦部の水案内方向に直角に交わる方向の両側が該平坦部よりも高く構成されて前記開口部に至るまでの水の流れの断面積が徐々に小さく絞られている。
【００３８】
さらに、好ましくは、本発明の水切りカバーにおいて、ばね性が効いた状態で前記隙間内に折り曲げ側から挿入可能に板体がその長手方向に沿って２つ折りに折り曲げられた折り曲げ形状を有し、前記案内部は、該板体の該折り曲げ形状の内面で構成され、前記水切り部は、前記開口部として、該板体の折り曲げ部の長手方向両端開口部で構成されている。
【００３９】
さらに、好ましくは、本発明の水切りカバーにおける長手方向の端面から所定幅を残して前記折り曲げ形状の開放側から該端面に平行にスリット状の切り欠きが形成され、該所定幅の先端部が、前記折り曲げ形状の外面から外側に突出すると共に、前記隙間を構成する端面の段差部に係合可能とする抜け止め片が形成されている。
【００４０】
さらに、好ましくは、本発明の水切りカバーは主材に嵌合可能とする主材嵌合凹部を有している。
【００４１】
さらに、好ましくは、本発明の水切りカバーにおける開口部の開口面積は前記隙間の幅方向断面積に比べて小さいかまたは半分に設定されている。
【００４２】
本発明の太陽電池装置は、太陽電池パネルモジュールと、これを搭載する主材を含む太陽電池パネル設置架台と、該太陽電池パネルモジュール間の隙間内の該主材上を覆う請求項１〜５のいずれかに記載の水切りカバーとを有するものであり、そのことにより上記目的が達成される。
【００４３】
本発明の太陽電池装置は、太陽電池パネルモジュールと、これを搭載する長尺の主材を含む太陽電池パネル設置架台と、該長尺の主材上に搭載された該太陽電池パネルモジュール間の隙間内に用いられて該隙間内の該主材上を覆う水切りカバーとを有し、該水切りカバーは、ばね性が効いた状態で該隙間内に折り曲げ側とは反対側の開放側から挿入可能に板体がその長手方向に沿って２つ折りに折り曲げられた折り曲げ形状を有し、該水切りカバーは、該折り曲げ形状の外面と該隙間を構成する端面とで構成されて、該隙間から進入する水を該主材から離れた位置に案内する案内部と、該隙間を構成する端面の下端側を押圧する該板体の長手方向両端部に両開口部が設けられて、該両開口部から水を流出または吐出または噴出させる水切り部とを有し、該両開口部の開口面積は該隙間の幅方向断面積に比べて小さいかまたは半分に設定されているものであり、そのことにより上記目的が達成される。
【００４４】
また、好ましくは、本発明の太陽電池装置における水切りカバーは、前記主材に嵌合可能とする主材嵌合凹部を有している。
【００４５】
上記構成により、以下、本発明の作用を説明する。
【００４６】
本発明においては、長尺の主材上に搭載された太陽電池パネルモジュール間の隙間内に用いられて少なくとも隙間内の主材上を覆う水切りカバーであって、隙間から進入する水を主材から離れた位置に案内する案内部と、案内部で案内された水を流出または吐出または噴出させる開口部で構成された水切り部とを有している。
【００４７】
これによって、水切り部としての開口部から、案内部で案内された水を流出または吐出または噴出させて、水を横に溢さずにできるだけ遠くに飛ばすことによって、主材が水に晒されることなく、水分による主材の錆や腐食をより確実に抑制することが可能となる。また、水切りカバーを太陽電池パネルモジュール間の隙間内に挿入するかまたは挟み込むだけで隙間内の主材上を覆うことが可能となる。このため、従来の案内部の取り付けのように水切りカバーの取り付けに手間がかからず容易かつ確実に取り付けられる。
【発明の効果】
【００４８】
以上により、本発明によれば、案内部で案内された水を水切り部としての開口部から流出または吐出または噴出させて、水を主材から離れた位置に導くため、水分による主材の錆や腐食をより確実に抑制することができる。また、水切りカバーを太陽電池パネルモジュール間の隙間内に挿入するかまたは間に挟み込むだけで隙間内の主材上を覆うことができるため、従来の案内部の取り付けのように水切りカバーの取り付けに手間がかからず容易かつ確実に取り付ることができる。
【図面の簡単な説明】
【００４９】
【図１】本発明の実施形態１における水切りカバーの要部構成例を示す平面図であって、（ａ）は平面部の水案内方向両側に下方に傾斜した平坦部が連設された平面図、（ｂ）は平面部の水案内方向片側にのみ下方に傾斜した平坦部が連設された平面図、（ｃ）は（ｂ）の断面を示す模式図である。
【図２】図１（ａ）の水切りカバーの正面図である、
【図３】図１（ａ）の水切りカバーの拡大側面図である。
【図４】本発明の実施形態１において、太陽電池パネル設置架台上に複数の太陽電池パネルモジュールが設置された太陽電池装置の側面図である。
【図５】図４の太陽電池パネル設置架台の主材上に水切りカバーが搭載された様子を模式的に示す平面図である。
【図６】既存の設置済みの架台に水切りカバーを介装する処理を説明するための模式図である。
【図７】新規に架台を組み立てるときに水切りカバーを介装する処理を説明するための模式図である。
【図８】（ａ）〜（ｃ）は本発明の実施形態２において図１の水切りカバーの他の事例の概略構成を示す斜視図である。
【図９】本発明の実施形態３における水切りカバーの要部構成例を示す斜視図である。
【図１０】図９の水切りカバーを折り曲げ部側から太陽電池パネルモジュール間の隙間内に挿入する様子を示す水切りカバーの正面図である。
【図１１】図９の水切りカバーを主材の位置まで挿入した状態を示す水切りカバーの側面図である。
【図１２】（ａ）は本発明の実施形態４における水切りカバーを開放側から太陽電池パネルモジュール３間の隙間内に挿入した様子を示す水切りカバーの正面図、（ｂ）は（ａ）の水切りカバーを主材の位置まで挿入した状態を示す水切りカバーの側面図である。
【図１３】（ａ）〜（ｃ）は、図１２（ａ）の水切りカバーの開放側を主材に嵌合させた後にその所定厚さの端部を切り欠き内に挿入して固定する様子を示す説明図である。
【図１４】特許文献１に開示されている従来の太陽電池パネル設置架台上に複数の太陽電池パネルが設置された太陽電池装置の側面図である。
【図１５】図１４の太陽電池パネルの上面に落下した雪解け水や雨水が案内部に導かれて落下するまでの様子を説明するための要部拡大断面図である。
【図１６】図１５のＣＣ線における側面断面図である。
【発明を実施するための形態】
【００５０】
以下に、本発明の水切りカバーおよびこれを用いた太陽電池装置の実施形態１〜４について図面を参照しながら詳細に説明する。なお、各図における構成部材のそれぞれの厚みや長さなどは図面作成上の観点から、図示する構成に限定されるものではない。
【００５１】
（実施形態１）
図１は、本発明の実施形態１における水切りカバーの要部構成例を示す平面図であって、（ａ）は平面部の水案内方向両側に下方に傾斜した平坦部が連設された平面図、（ｂ）は平面部の水案内方向片側に下方に傾斜した平坦部が連設された平面図、（ｃ）は（ｂ）の断面を示す模式図である。図２は図１（ａ）の水切りカバーの正面図である。図３は図１（ａ）の水切りカバーの拡大側面図である。
【００５２】
図１（ａ）〜図３において、本実施形態１の水切りカバー１は板体を折り曲げて構成されている。中央の平面視４角形状の平面部１ａを残してその両側がそれぞれ下方に所定傾斜角度θ１で折り曲げられて、中央の平面部１ａの両側に傾斜部が連設されている。この傾斜部の幅方向両側が平面視三角形状の平坦部１ｂよりも高く構成されて案内幅が徐々に狭められている。つまり、平面視三角形状の平坦部１ｂの幅方向両側（平面視三角形状の底辺１ｃ）から流出部としての先端開口部（平面視三角形状の頂点）にかけて所定傾斜角度θ２で上側に折り曲げられている。
【００５３】
この平面視三角形状の平坦部１ｂは、平面視三角形状の底辺１ｃを介して中央の平面部１ａに連設され、平面視三角形状の底辺１ｃに対向する頂点部が雪解け水や雨水などの水（以降、代表して雨水という）の注ぎ口（先端開口部）である水切り部１ｄに対応している。要するに、中央の平面部１ａとその両側の傾斜部（平面視三角形状の平坦部１ｂを含む）により、太陽電池パネルモジュール３間の隙間３ａから進入する雨水を主材２から離れた位置に案内する案内部が構成されている。この案内部内の雨水を案内する先端開口部に水切り部１ｄが設けられている。水切り部１ｄは、下方に傾斜した平面視三角形状の平坦部１ｂの先端部分（図３の逆三角形状の先端開口部）に設けられている。雨水は先端開口部に至るまでに、平面部１ａで一旦広げられた後に周りに溢すことなく、雨水の流れの断面積が両側から逆台形状から逆三角形状にノズル状に絞られて雨水はより遠くに飛ばされる。雨水の流量Ｑを一定とした場合、流量Ｑはその流れの断面積Ａ×流速Ｖであるから、雨水の流れの断面積Ａが狭められるとその分、流速Ｖが早くなる。まして、傾斜部を流れ落ちる雨水はさらに流速Ｖが早められる。このように、雨水が先端開口部から流出または吐出または噴出すると共に、雨水が少なくなってもその先端開口部が開口面積が小さい分、水切り効果は依然として良好である。
【００５４】
このように、平面視三角形状の平坦部１ｂの周囲が上側に折り曲げられた後に、取り付け時に太陽電池パネルモジュール３の下面に接触しないように、中央の平面部１ａの平面視幅寸法と同一で、平面部１ａから下方に所定傾斜角度θ３（０＜θ３＜θ１）になるように垂直方向に折り曲げられて主材案内部１ｅを形成している。
【００５５】
図２の正面図において、主材案内部１ｅは、水切りカバー１の左右方向両側と前後方向両側（幅方向両側）にそれぞれ設けられている。左右方向両側の主材案内部１ｅの間は、主材２が嵌め込まれる程度の寸法を有して主材嵌合凹部になっている。また、水切りカバー１の左右方向両側の主材案内部１ｅの内側で構成された主材嵌合凹部は、主材２を正確に嵌め込み易くするためにその主材２の入り口（主材案内部１ｅ）が丸くなっていて下方に開くように主材案内部１ｅにテーパ部が形成されている。
【００５６】
水切りカバー１の板材の材質は、ステンレス板または鋼板（例えばガルバリウム鋼板）が用いられている。水切りカバー１に鋼板を用いる場合には耐食性のある塗装や溶融亜鉛メッキなどの表面処理が施されている。水切りカバー１は、０，４ｍｍ程度の薄い板材の展開形状から折り曲げられて形成されている。
【００５７】
図１（ａ）の中央の平面部１ａが下側の主材２とその上側の太陽電池パネルモジュール３との間に挟み込まれて水切りカバー１が用いられる。水切りカバー１は、太陽電池パネル設置架台の主材２上に搭載される太陽電池パネルモジュール３間の隙間３ａの位置でかつ、主材２上をカバーするように配置される。
【００５８】
なお、水切りカバー１のサイズとして、例えば、太陽電池パネルモジュール３間の隙間３ａを５ｍｍとした場合に、水切りカバー１の幅は３０ｍｍ程度としている。その水切りカバー１の長手方向のサイズとして、その一部を構成する中央の平面部１ａの長手方向寸法が主材２の幅寸法よりも長い寸法である。
【００５９】
ここで、水切りカバー１を用いた太陽電池装置１０について図４および図５を用いて説明する。
【００６０】
図４は、本発明の実施形態１において、太陽電池パネル設置架台上に複数の太陽電池パネルモジュール３が設置された太陽電池装置の側面図である。図５は、図４の太陽電池パネル設置架台の主材２上に水切りカバー１が搭載された様子を模式的に示す平面図である。
【００６１】
図４および図５において、本実施形態１の太陽電池装置１０は、太陽電池パネルモジュール３と、これを搭載する太陽電池パネル設置架台１１、それらの間に挟み込まれた水切りカバー１とを有している。なお、架台部材の組み立てばらつきを吸収すると共に熱による伸縮を考慮して、主材２上に設置される各太陽電池パネルモジュール３間には所定の隙間３ａが設けられている。
【００６２】
水切りカバー１は、太陽電池パネル設置架台１１の主材２上を幅方向に横切って設置され、太陽電池パネルモジュール３間の隙間３ａの直下の主材２と太陽電池パネルモジュール３との間に挟み込まれている。
【００６３】
太陽電池パネル設置架台１１の架台部材には、断面Ｌ字形、断面コ字形、断面Ｈ字形、断面Ｃ字形などの各種断面形状の鋼材が用いられている。各鋼材には、耐食性のある塗装や溶融亜鉛メッキなどの表面処理が施されている。
【００６４】
太陽電池パネル設置架台１１は、架台部材として、主材２と、前柱材１２と、後柱材１３と、ベース材１４と、連結板１５と、斜め材１６と、基礎１７とを備えている。これらの各部材はボルトとナットで固定されている。
【００６５】
主材２は、傾斜して配置されている。その主材２上に複数の太陽電池パネルモジュール３が搭載される。
【００６６】
前柱材１２は、垂直方向に前方の基礎１７に立設され、その上端部が主材２の側面に固定され、その下端側が、基礎１７に固定されたベース材１４に固定されている。
【００６７】
後柱材１３は、垂直方向に後方の基礎１７に立設され、その上端部が主材２の側面に固定され、その下側が、基礎１７に固定されたベース材１４に固定されている。主材２を後方が高くなるように傾斜させるために、後柱材１３が前柱材１２よりも長く構成されている。
【００６８】
前方のベース材１４は、前方の前柱材１２同士を連結して前柱材１２の各裾部を補強している。また、後方のベース材１４は、後方の後柱材１３同士を連結して後柱材１３の各裾部を補強している。各ベース材１４の底部は、アンカーボルトによって各基礎１７に固定されている。
【００６９】
連結板１５は、後柱材１３と斜め材１６とを連結している。
【００７０】
斜め材１６は、後柱材１３に対して斜めに設けられ、その上端部が主材２の側面に固定され、その下端部が連結板１５を介して後柱材１３に固定されている。後柱材１３と斜め材１６と主材２とを３辺とする三角形状部を構成して、太陽電池パネル設置架台１１の本図面で左右方向における機械的強度を補強している。
【００７１】
基礎１７は屋根または地面の平面部ＧＬ上に固定されている。屋根または地面の平面部ＧＬは太陽電池パネル設置架台１１が設置される設置面となっている。
【００７２】
上記構成の水切りカバー１を、主材２と太陽電池パネルモジュール３間に介装する処理について説明する。
【００７３】
図６は、既存の設置済みの架台に水切りカバー１を介装する処理を説明するための模式図である。
【００７４】
図６に示すように、まず、既存の設置済みの架台において、主材２と太陽電池パネルモジュール３を固定しているボルト４とナット（図示せず）を緩めて外す（なお、水切りカバー１を設置できる程度に太陽電池パネルモジュール３を主材２から浮かせることができればナットを外す必要はない）。次に、主材２上の太陽電池パネルモジュール３を主材２から上方に浮かせて、太陽電池パネルモジュール３間の隙間３ａに対応する主材２の幅方向に水切りカバー１の主材嵌合凹部を嵌め込んでワンタッチで設置する。その後、その上（水切りカバー１の平面部１ａの幅方向両側）に隣接の両太陽電池パネルモジュール３を乗せる。さらに、ボルト４とナット（図示せず）を締結する。
【００７５】
これによって、既存の設置済みの主材２と太陽電池パネルモジュール３との間に水切りカバー１を介装することができる。このように、太陽電池パネルモジュール３を主材２上から取り外すことなく、太陽電池パネルモジュール３を浮かすだけで水切りカバー１をその間にワンタッチで設置することができる。、このため、新規太陽電池パネルモジュール設置時以外にも既存の設置済みの架台に容易に水切りカバー１を追加することができる。
【００７６】
図７は、新規に架台を組み立てるときに水切りカバー１を介装する処理を説明するための模式図である。
【００７７】
図７において、太陽電池パネル設置架台１１の主材２上で、太陽電池パネルモジュール３と太陽電池パネルモジュール３との隙間３ａがくる位置に水切りカバー１を設置する。このとき、主材２の幅方向に水切りカバー１の主材案内部１ｅ間の主材嵌合凹部を嵌め込んで設置する。それらの上（水切りカバー１の平面部１ａの幅方向両側）に太陽電池パネルモジュール３を設置して太陽電池パネルモジュール３と主材２とをボルトとナットで固定する。
【００７８】
以上により、本実施形態１の水切りカバー１は、複数の太陽電池パネルモジュール３を支持する長尺の主材２であって、太陽電池パネルモジュール３間の隙間３ａ下の領域を含む主材２と、これに対向する両太陽電池パネルモジュール３との間に介装され、少なくとも太陽電池パネルモジュール３間の露出する主材２の表面上を覆う平面部１ａと、この平面部１ａの長手方向両側に連設されて太陽電池パネルモジュール３間の隙間３ａから平面部１ａに進入した雨水を主材２から離れた下方位置に導く傾斜部（平面視三角形状の平坦部１ｂを含む）と、この傾斜部の平面視三角形状の平坦部１ｂの周囲を高くして案内幅を徐々にノズル状に狭くして雨水を吐出または噴出させる先端開口部で構成された水切り部１ｄとを有し、先端開口部に至るまでの水の流れの断面積が徐々に小さく絞られている。
【００７９】
これによって、太陽電池パネルモジュール３間の隙間３ａ内の主材２上が水切りカバー１の平面部１ａで覆われて主材２が直に雨水に晒されることはない。太陽電池パネルモジュール３間の隙間３ａから入った雨水は、水切りカバー１の平面部１ａから両側に分かれって流れ、その平面視三角形状の平坦部１ｂで下方に傾斜して水の流れの断面積が徐々に小さく絞られる。これによって、雨水は、平面視三角形状の平坦部１ｂの先端開口部（平面視三角形状の頂点）の尖った水切り部１ｄから飛ばされて下方に落下する。
【００８０】
したがって、平面視三角形状の平坦部１ｂに勾配を付けその頂点に向かう周囲を上方に折り曲げて徐々に案内幅を狭くしているため、雨水は中央に徐々に集められて先端の細い水切り部１ｄから勢いよく下方に落下する。どの程度の勢いかは水量と水切りカバー１の流水の流れ方向長さと案内幅とに依存するが、水の流出速度、吐出速度にかかわらず水切りが効果的に為されるというといころに特徴がある。これによって、雨水が水切り部１ｄの裏側に伝って回り込むことはなく、主材２が雨水に晒されることは全くない。これによって、主材２の鋼材の錆や腐食を遅らせて主材２の錆や腐食をより確実に抑制することができる。しかも、本水切りカバー１の主材２上への装着も主材２と太陽電池パネルモジュール３との間に挟み込むだけであるので、従来のように水切りカバー１の取り付けに手間がかからない。
【００８１】
なお、本実施形態１の水切りカバー１では、両太陽電池パネルモジュール２間の隙間３ａから進入する水を主材２から離れた位置に案内する案内部として、図１（ａ）に示すように、隙間３ａ内の主材領域を少なくとも含む主材２の位置と、この主材２の位置に対向した両太陽電池パネルモジュール３との間に挟み込まれて、隙間３ａ内の主材領域を含む主材表面領域を覆う平面視４角形状の平面部１ａを有しているが、この平面部１ａの水案内方向両側に下方に傾斜した平面視三角形状の平坦部１ｂが連設され、平坦部１ｂの水案内方向に直角に交わる方向の両側が平坦部よりも高く構成されて開口部の水切り部１ｄに至るまでの水の流れの断面積が徐々に小さく絞られている場合について説明したが、これに限らず、水切りカバー１Ａとして、図１（ｂ）に示すように平面部１ａの水案内方向片側にのみ下方に傾斜した平面視三角形状の平坦部１ｂが連設されていてもよい。その水切りカバー１Ａの他は水切りカバー１と同様である。
【００８２】
この場合、図１（ｃ）に示すように、主材２として断面コ字状鋼材や断面Ｌ字状鋼材など片側に垂直壁面がない鋼材を用いる。垂直壁面がない側を、水切りカバー１Ａの平面部１ａに平坦部１ｂが連設されいない側に対応させて水切りカバー１Ａを設置する。水切りカバー１Ａの平面部１ａから直に落下する落下水が主材２の断面コ字状鋼材や断面Ｌ字状鋼材の上部平坦面側に回り込まないだけの距離が離間していればよい。このように、平面部１ａの片側に平坦部１ｂが連設されていなくても、主材２の断面コ字状鋼材や断面Ｌ字状鋼材の垂直壁面に、風などで平面部１ａからの落下水が直に当たらないようにすることができる。
【００８３】
（実施形態２）
上記実施形態１では、平坦部１ｂの端の開口部に至るまでの水の流れの断面積が徐々に小さく絞られている場合について説明したが、本実施形態２では、平坦部１ｂの端の開口部（流出部）に至るまでの水の流れの断面積が徐々に小さく絞られていない場合について説明する。
【００８４】
図８（ａ）〜図８（ｃ）は本発明の実施形態２において図１の水切りカバーの他の事例の概略構成を示す斜視図である。
【００８５】
図８（ａ）に示すように、本実施形態２の水切りカバー１Ｂとして、平面部１ａの水案内方向両側（または片側）に平坦部１ｂ’が下方に傾斜して連設され、下方に傾斜した平坦部１ｂ’において水案内方向に直角に交わる方向の両側が高くなっておらず、全て平坦な平坦部１ｂ’が平面部１ａから連接されて水を下方に案内するようになっている。
【００８６】
図８（ｂ）に示すように、本実施形態２の水切りカバー１Ｃとして、平面部１ａの水案内方向両側（または片側）に平坦部１ｂ’が下方に傾斜して連設され、下方に傾斜した平坦部１ｂ’において水案内方向に直角に交わる方向の両側が平坦部１ｂ’よりも高い仕切り部１ｂ”が垂直上方向に折れ曲がっており、両側の仕切り部１ｂ”により水を零すことなく下方に案内するようになっている。
【００８７】
図８（ｃ）に示すように、本実施形態２の水切りカバー１Ｄとして、平面部１ａの水案内方向両側（または片側）に傾斜凹部１ｈが下方に傾斜して連設され、下方に傾斜した傾斜凹部１ｈ（上面が曲面）において水案内方向に直角に交わる方向の両側が中央よりも高くなっている。
【００８８】
水切りカバー１Ｂ〜１Ｄでは、両太陽電池パネルモジュール２間の隙間３ａから進入する水を主材２から離れた位置に案内する案内部として、隙間３ａ内の主材領域を少なくとも含む主材位置と、主材位置に対向した両太陽電池パネルモジュール３との間に平面部１ａが挟み込まれ、平面部１ａは、隙間３ａ内の主材領域を少なくとも含む主材表面領域を覆っている。平面部１ａの水案内方向両側のうちの少なくとも一方側（片側）に下方に傾斜した平坦部１ｂ’または傾斜凹部１ｈのうちのいずれかが連設されているだけであってよいし、図８（ｂ）の水切りカバー１Ｃに示すように、この平坦部１ｂ’の水案内方向に直角に交わる方向の両側が平坦部１ｂ’よりも高く立ち上がった仕切り部１ｂ”が形成されていてもよい。流出部として平坦部１ｂ’の端面部の他、コ字状の開放側を上にした開口部、Ｕ字状やＶ字状の開口部であってもよい。これらの場合、図１の水切りカバー１または１Ａのように、平坦部１ｂ’の端の流出部（開口部）に至るまでの水の流れの断面積が徐々に小さく絞られていないが、多少内側に絞られていてもよい。
【００８９】
このように、本実施形態２の水切りカバー１Ｂ〜１Ｄにおける流出部は、平面部１ａの水案内方向両側のうちの少なくとも一方側に下方に傾斜した平坦部１ｂ’および凹部（平坦部１ｂ’と仕切り部１ｂ”や、傾斜凹部１ｈ）のうちのいずれかが連設されてそれらの先端部で構成されている。流出部の凹部は、先端部の流出部への方向に沿って同一幅で構成されている。なお、上記実施形態１の水切りカバー１または１Ａにおける流出部の凹部は、流出部への方向に沿って徐々に幅が狭まった先端部で構成されている。
【００９０】
（実施形態３）
図９は、本発明の実施形態３における水切りカバーの要部構成例を示す斜視図である。
【００９１】
図９において、本実施形態３の水切りカバー５は、所定の展開形状の板体を２つ折りに折り曲げた折り曲げ形状を有している。折り曲げ形状の開放側の外寸が太陽電池パネルモジュール３間の隙間３ａよりも広く形成されている。水切りカバー５の２つ折りの折り曲げ形状の内面が、太陽電池パネルモジュール３間の隙間３ａ内に折り曲げ側から挿入したときに上に開いて雨水の案内部５ａを構成している。水切りカバー５の長手方向両端面部の２つ折りの流出部としての両開口部はそれぞれ水切り部５ｂを構成している。水切り部５ｂの両開口部はＶ字状（さらに水を噴出させるため開口部の開口面積を両側から細く絞って小さくしてもよい）に形成されている。両端開口部の開口面積は隙間３ａの幅方向断面積に比べて十分小さいかまたは半分程度に設定されている。水切りカバー５の長手方向の長さは、主材２の幅方向の長さよりも十分に長く構成している。
【００９２】
水切りカバー５の２つ折りの折り曲げ部分とは反対側（開放側）からスリット状の切り欠き部５ｃが形成されている。このスリット状の切り欠き部５ｃは、ここでは、水切りカバー５の折り曲げ側を下にして左側に１箇所、裏表にそれぞれ形成されている。スリット状の切り欠き部５ｃの更に端面側には、折り曲げ部分から更に外側に曲げられて突出したばね性のある抜け止め片５ｄが形成されている。
【００９３】
図１０は、図９の水切りカバー５を折り曲げ部側から太陽電池パネルモジュール３間の隙間３ａ内に挿入する様子を示す水切りカバー５の正面図である。図１０は、図８の水切りカバー５を主材２の位置まで挿入した状態を示す水切りカバー５の側面図である。なお、図１０では、主材２およびその上の太陽電池パネルモジュール３は仮想線（２点鎖線）で示している。
【００９４】
図９および図１０に示すように、水切りカバー５が傾かないために、水切りカバー５の折り曲げ部５ｅ側から太陽電池パネルモジュール３間の隙間３ａに主材２の表面（平坦面）に当たる位置まで挿入する。このときに、水切りカバー５の外側に付勢するばね性により太陽電池パネルモジュール３間の隙間３ａを完全に水漏れなく塞ぐことができる。これによって、太陽電池パネルモジュール３の傾斜に沿って流れた雨水は、太陽電池パネルモジュール３間の隙間３ａから水切りカバー５の折り曲げ形状の内面側に入り、２つ折りに折り曲げた内面を流れて両端開口部から吐出または噴出される。
【００９５】
また、水切りカバー５の折り曲げ側から、図１１に示すように太陽電池パネルモジュール３間の隙間３ａ内に主材２の表面に当たる位置まで水切りカバー５を挿入するとき、この状態で抜け止め片５ｄは太陽電池パネルモジュール３の端面上側の段差部に嵌り込んで抜け止めとなっている。また、水切りカバー５の開放側はその上端外面が太陽電池パネルモジュール３間の隙間３ａの内面（端面）を押圧している。なお、太陽電池パネルモジュール３には、その長手方向の端面上側に段差部があるものとないものとがある。この抜け止め片５ｄ付きの水切りカバー５は、段差部がある太陽電池パネルモジュール３に使用される。
【００９６】
上記構成により、まず、太陽電池パネルモジュール３の上面に落下した雨水は、太陽電池パネルモジュール３上の傾斜面に沿って斜め下方へ流れる。太陽電池パネルモジュール３の上面を斜め下方に流れた雨水は太陽電池パネルモジュール３間の隙間３ａ内に流入する。
【００９７】
次に、隙間３ａ内に流入した雨水は水切りカバー５の開放側から案内部５ａ（内面）に進入してその案内部５ａから、水切りカバー５の水切り部５ｂである両端開口部から吐出または噴出して飛ばされる。これによって、雨水は主材２から離れた両側に飛ばされて落下する。
【００９８】
以上により、本実施形態３によれば、ばね性が効いた状態で板体が隙間３ａ内に挿入可能に長手方向に沿って２つ折りに折り曲げられた折り曲げ形状を有し、案内部５ａは、折り曲げ形状の板体の内面で構成され、水切り部５ｂは、板体の折り曲げ部の長手方向両端開口部で構成されている。
【００９９】
これによって、水切りカバー５を太陽電池パネルモジュール３間の隙間３ａ内に挿入するだけで隙間３ａ内の主材２上を覆うことができる。このため、従来の案内部の取り付けのように水切りカバー５の取り付けに手間がかからず容易かつ正確に取り付ることができる。また、案内部５ａ（内面）の雨水を案内する先端開口部を構成する水切り部５ｂが設けられている。この場合、両端開口部の開口面積は隙間３ａの幅方向断面積に比べて十分小さいかまたは半分程度に設定されているため、雨水は先端開口部から吐出または噴出して途中で横にこぼれることなく、より遠くに飛ばされるため、従来のように伝って主材２側に至ることはなく、雨水による主材２の錆や腐食をより確実に抑制することができる。
【０１００】
（実施形態４）
図１２（ａ）は本発明の実施形態４における水切りカバーを開放側から太陽電池パネルモジュール３間の隙間３ａ内に挿入した様子を示す水切りカバーの正面図、図１１（ｂ）は図１２（ａ）の水切りカバーを主材の位置まで挿入した状態を示す水切りカバーの側面図である。なお、主材２およびその上の太陽電池パネルモジュール３は仮想線で断面を示している。
【０１０１】
図１２（ａ）に示すように、本実施形態３の水切りカバー６は、所定の展開形状の板体を２つ折りに折り曲げて構成されている。この折り曲げ形状の開放側の外寸が太陽電池パネルモジュール３間の隙間３ａよりも広く形成されている。水切りカバー６の２つ折りの両外面６ａと太陽電池パネルモジュール３の両端面３ｂとは断面Ｖ字状の空間を形成している。このように、太陽電池パネルモジュール３間の隙間３ａ内に水切りカバー６を挿入したときに水切りカバー６は下側で開く。その水切りカバー６の外面６ａと太陽電池パネルモジュール３の両端面３ｂとで雨水の案内部を構成し、水切りカバー６の長手方向両端面部の両開口部がそれぞれ水切り部６ｂを構成している。両端開口部の開口面積は隙間３ａの幅方向断面積に比べて十分小さいかまたは半分程度に設定されている。水切りカバー６の長手方向の長さは、主材２の幅方向の長さよりも十分に長く構成している。主材２としては断面コ字状鋼材や断面Ｌ字状鋼材など片側に垂直壁面がない鋼材を用いる。
【０１０２】
水切りカバー６の開放側の中央部分は、水切りカバー６の下側に開放した主材嵌合凹部６ｃが形成されている。この主材嵌合凹部６ｃの奥片側には主材２の端部２ｇが挿入可能な切り欠き６ｇが長手方向に所定深さ形成されている。主材嵌合凹部６ｃおよび切り欠き６ｇは水切りカバー６の両面に形成されており各主材嵌合凹部６ｃ内に主材２の上部が嵌合された後に切り欠き６ｇ内に主材２の所定厚さの端部２ｇが挿入するようになっている。各主材嵌合凹部６ｃの両側には、主材２の上部が嵌合するときのガイドとなるように水切りカバー６の両端部側から内側に向けて主材２の上部を案内するテーパ部６ｄ、６ｅが形成されている。テーパ部６ｄ、６ｅは水切りカバー６の開放側両端面下端部６ｆから上側に傾斜したテーパになっている。
【０１０３】
図１２（ｂ）に示すように、水切りカバー６の主材嵌合凹部６ｃを、太陽電池パネルモジュール３間の隙間３ａ内の主材２に嵌合させた後に、水切りカバー６をずらして抜け止め用にその切り欠き６ｇ内に主材２の所定厚さの端部２ｇを更に挿入したときに、水切りカバー６の外側に付勢するばね性により太陽電池パネルモジュール３間の隙間３ａ内における両端面３ｂの各下端部３ｃを両外面６ａが押圧して各下端部３ｃを両外面６ａにより完全に水漏れなく塞ぐことができる。
【０１０４】
ここで、図１２（ａ）の水切りカバー６の主材２上への設置について説明する。
【０１０５】
図１３（ａ）〜図１３（ｃ）は、図１２（ａ）の水切りカバー６の開放側を主材２に嵌合させた後にその端部を切り欠き６ｇ内に挿入して固定する様子を示す説明図である。
【０１０６】
まず、図１３（ａ）に示すように、太陽電池パネルモジュール３の裏面側の隙間３ａ内に水切りカバー６の折り曲げ側から、開放側の一方下端を指または工具でばね性に抗して挟んだ状態で挿入する。
【０１０７】
次に、図１３（ｂ）に示すように、太陽電池パネルモジュール３の裏面側の隙間３ａ内に挿入された水切りカバー６の他端側を下方に回転させつつ、主材２の断面コ字状鋼材（みぞ型鋼）の上面を水切りカバー６の主材嵌合凹部６ｃ内に嵌合させる。
【０１０８】
その後、図１３（ｃ）に示すように、切りカバー６の主材嵌合凹部６ｃ内に主材２の断面コ字状鋼材（みぞ型鋼）の上面をはめ込んだ後に、切りカバー６を引っ張って主材嵌合凹部６ｃの奥側の切り欠き６ｇ内に主材２の所定厚さの端部２ｇを挿入する。これによって、切りカバー６が主材２に固定されて抜けない。
【０１０９】
この状態で、まず、太陽電池パネルモジュール３の上面に落下した雨水Ｗは、太陽電池パネルモジュール３上の傾斜面に沿って斜め下方へ流れる。太陽電池パネルモジュール３の上面を斜め下方に流れた雨水Ｗは太陽電池パネルモジュール３間の隙間３ａ内に流入する。
【０１１０】
次に、隙間３ａ内に流入した雨水Ｗは水切りカバー６の両外面６ａと太陽電池パネルモジュール３の両端面３ｂとからなる断面Ｖ字状の領域内を流れて、水切りカバー６の水切り部６ｂである両端開口部から流出としての吐出または噴出して飛ばされる。これによって、雨水は主材２から離れた両側に飛ばされて落ちる。
【０１１１】
以上により、本実施形態４によれば、２つ折の折り曲げ形状の板体の外面と隙間３ａを構成する端面３ｂとで構成され、隙間３ａから進入する雨水を主材２から離れた位置に案内する案内部と、隙間３ａを構成する端面３ｂの下端側を押圧する板体の長手方向両端開口部に設けられた水切り部６ｂとを有している。
【０１１２】
これによって、水切りカバー６を太陽電池パネルモジュール３間の隙間３ａ内に挿入するだけで隙間３ａ内の主材２上を覆うことができる。このため、従来の案内部の取り付けのように水切りカバー６の取り付けに手間がかからず容易に取り付ることができる。また、案内部の雨水を案内する先端開口部に水切り部６ｂが設けられている。この場合、両端開口部の開口面積は隙間３ａの幅方向断面積に比べて十分小さいかまたは半分程度に設定されている。このため、雨水は途中で横にこぼれることなく両端開口部から吐出または噴出して、より遠くに飛ばされる。これによって、従来のように雨水が伝って主材２側に至ることはなく、雨水による主材２の錆や腐食をより確実に抑制することができる。
【０１１３】
以上のように、本発明の好ましい実施形態１〜４を用いて本発明を例示してきたが、本発明は、この実施形態１〜４に限定して解釈されるべきものではない。本発明は、特許請求の範囲によってのみその範囲が解釈されるべきであることが理解される。当業者は、本発明の具体的な好ましい実施形態１〜４の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【０１１４】
本発明は、太陽電池パネルモジュール間の隙間から進入する雨水による架台の錆や腐食を抑制する水切りカバーおよび、この水切りカバーが複数の太陽電池パネルモジュール間の隙間に用いられる太陽電池装置の分野において、水切りカバーが太陽電池パネルモジュール間の隙間内に挿入したり挟み込んで用いられて隙間内の主材上を覆うため、従来の案内部の取り付けのように手間がかからず容易に取り付ることができ、案内部の雨水を案内する先端に水切り部が設けられているため、雨水が下部から回り込んで主材に至ることはなく、雨水による錆や腐食をより確実に抑制することができる。
【符号の説明】
【０１１５】
１、１Ａ〜１Ｄ  水切りカバー
１ａ  平面視４角形状の平面部
１ｂ  平面視三角形状の平坦部
１ｂ’平坦部
１ｂ”  仕切り部
１ｃ  平面視三角形状の底辺
１ｄ  水切り部
１ｅ  主材案内部
１ｈ  傾斜凹部
θ１  案内部１ｂを構成する平面視三角形状の平坦部の所定傾斜角度
θ２  幅方向平面視三角形状両側から上方に折り曲げた垂直方向からの角度
θ３  平坦部材１ａからの下方に折り曲げる稜線の傾斜角度
２  主材
２ｇ  所定厚さの端部
３  太陽電池パネルモジュール
３ａ  太陽電池パネルモジュール３間の隙間
３ｂ  端面
３ｃ  下端部
４  ボルト
５  水切りカバー
５ａ  案内部（内面）
５ｂ  水切り部
５ｃ  切り欠き部
５ｄ  抜け止め片
５ｅ  折り曲げ部
６  水切りカバー
６ａ  外面
６ｂ  水切り部
６ｃ  主材嵌合凹部
６ｄ  ６ｅ  テーパ部
６ｆ  開放側両端面下端部
６ｇ  切り欠き
１０  太陽電池装置
１１  太陽電池パネル設置架台
１２  前柱材
１３  後柱材
１４  ベース材
１５  連結板
１６  斜め材
１７  基礎
【図１】
2014214554.tif 000003
【図２】
2014214554.tif 000004
【図３】
2014214554.tif 000005
【図４】
2014214554.tif 000006
【図５】
2014214554.tif 000007
【図６】
2014214554.tif 000008
【図７】
2014214554.tif 000009
【図８】
2014214554.tif 000010
【図９】
2014214554.tif 000011
【図１０】
2014214554.tif 000012
【図１１】
2014214554.tif 000013
【図１２】
2014214554.tif 000014
【図１３】
2014214554.tif 000015
【図１４】
2014214554.tif 000016
【図１５】
2014214554.tif 000017
【図１６】
2014214554.tif 000018